(57)【要約】【課題】遊技中における振動に対する複数の光源の耐震性向上を図る。【解決手段】スペーサーブロック１６がシリコンゴムまたはゴムまたは合成樹脂のような弾性および耐熱性が有る電気絶縁材により複数のスペーサー１７を相互に連結体２０で連結されており、複数のＬＥＤのような光源１５が配線基板５にスペーサーブロック１６を介して取り付けられ、光源１５の電極を兼ねた取付足１８がスペーサー１７の各々に形成された縦溝１９を経由して配線基板５を貫通し配線基板５の電極に半田２１で結合されている。【選択図】        図１
2004159972.tif 000002
【特許請求の範囲】
【請求項１】
複数の光源が複数のスペーサーを介在させて単一の配線基板に取り付けられる遊技機用光源装置において、複数のスペーサーがひとつのまとまりとして連結された単一体に形成されたことを特徴とする遊技機用光源装置。
【請求項２】
複数のスペーサーが光源の取付足を収納する部分と直交する方向で互いに連結されたことを特徴とする請求項１記載の遊技機用光源装置。
【発明の詳細な説明】
【０００１】
【発明の属する技術分野】
本発明はパチンコ機やスロットマシンなどのような遊技機におけるサイドランプ、ランプ風車、センター役物、トップランプ、賞球ランプ、完了ランプ、皿などのような遊技機能部品に発光表示機能を付ける遊技機用光源装置に関する。
【０００２】
【従来の技術】
従来の遊技機用光源装置は光源とスペーサーとを一対として配線基板に取り付けている（例えば、特許文献１参照）。
【０００３】
【特許文献１】
特開平１１−７６５０８号公報（第１頁、要約、図１）
【０００４】
【発明が解決しようとする課題】
前記従来例はゴムのような弾性を有する小さな１つのスペーサーで１個の光源を配線基板に支持する構造であるため、遊技中の振動でスペーサーが横に振動するのに伴い光源も首を振ることから、光源の位置がずれて、発光表示の品質信頼性に欠けるという問題点があった。
【０００５】
そこで、本発明は遊技中における振動に対する複数の光源の耐震性を向上することで発光表示の品質信頼性を向上することができる遊技機用光源装置を提供するものである。
【０００６】
【課題を解決するための手段】
本発明にあっては、複数の光源が複数のスペーサーを介在させて単一の配線基板に取り付けられる遊技機用光源装置において、複数のスペーサーがひとつのまとまりとして連結された単一体に形成されたことによって、各々のスペーサーによる横に首を振るような動作が減衰され、各々のスペーサーによる光源に対する姿勢支持力が向上し、光源の各々の位置が確保できるとともに、光源の各々の耐震性を向上することができ、発光表示の品質信頼性を向上することができる。また、本発明にあっては、複数のスペーサーが光源の取付足を収納する部分と直交する方向で互いに連結されれば、複数のスペーサーを互いに連結する部分が取付足をスペーサーに挿入する作業の邪魔となることがなく、光源の配線基板への取付作業も良くすることができる。
【０００７】
【発明の実施の形態】
図１は一実施形態であって、ａ図は遊技機用光源装置３の断面を示し、ｂ図はスペーサーブロック１６の外観を示す。図１のａ図において、１は遊技盤、２は遊技盤１に形成された開口部、３は遊技機用光源装置である。遊技機用光源装置３は遊技盤１に取り付けられる装置本体４と、装置本体４の裏側に取り付けられる配線基板５とを備える。装置本体４は外側に突出したフランジ２３を備え、装置本体４の後部に突出したランプ収納室６が遊技盤１の前側から開口部２に挿入され、止ねじ７がフランジ２３に形成された貫通孔８から開口部２の周りにおける遊技盤１に締結されることで、装置本体４が遊技盤１に取り付けられる。
【０００８】
ランプ収納室６は後方が開放された方形状の凹部になっている。ランプ収納室６を囲む周壁９の後端面にはタッピングねじのような止ねじ１０を締結するための下孔１１が形成される。ランプ収納室６を形成する前壁１２には凹部１３と導光体であるレンズ１４とが設けられる。凹部１３とレンズ１４とからなる一対の組み合わせ個数は配線基板５に取り付けられる複数の光源１５と対応する個数になっている。配線基板５はプリント配線基板であって、単一の配線基板５には複数のＬＥＤのような光源１５が単一体に形成されたスペーサーブロック１６を介して取り付けられる。
【０００９】
図１のｂ図に示すように、スペーサーブロック１６は、シリコンゴムまたはゴムまたは合成樹脂のような弾性および耐熱性が有る電気絶縁材により、ａ図に示す複数の光源１５と対応する複数のスペーサー１７がひとつのまとまりとして連結された単一体に形成された形態である。各々のスペーサー１７は柱状であって、各々のスペーサー１７の外側面には光源１５の電極を兼ねた取付足１８を収納するための縦溝１９がスペーサー１７の直径方向で相対峙する位置に形成される。縦溝１９と直交する方向の直径方向において、各々のスペーサー１７は板状の連結体２０で相互に結合された形態である。
【００１０】
よって、ａ図に示すように、複数の光源１５は取付足１８がスペーサーブロック１６における縦溝１９に収納されつつ配線基板５の形成された図外のスルーホールに貫通装着された状態において、配線基板５におけるスルーホール周りのバンプと呼ばれるような図外の電極に半田２１で結合されることで、複数の光源１５は複数のスペーサー１７がひとつのまとまりとして連結された単一体に形成されたスペーサーブロック１６を介在させて単一の配線基板５に取り付けられる。その状態において、複数の光源１５がランプ収納室６に挿入され、配線基板５の周縁部が周壁９の後端面に接触し、止ねじ１０が配線基板５の周縁部に形成された貫通孔２２から下孔１１に締結されることで、複数の光源１５がスペーサーブロック１６に介在して実装された配線基板５は装置本体４に取り付けられる。このように配線基板５の取り付けられた装置本体４が遊技盤１に止ねじ１０で固定されることで、遊技機用光源装置３が遊技盤１に取り付けられる。
【００１１】
以上のように複数の光源１５の実装された配線基板５を装置本体４に取り付けた遊技機用光源装置３がパチンコ機やスロットマシンなどのような遊技機に用いられ、遊技中の振動が遊技機用光源装置３に伝達された場合においても、複数の光源１５を支持するスペーサー１７が連結体２０で互いに結合されているので、スペーサーブロック１６における各々のスペーサー１７による横に首を振るような動作が各々のスペーサー１７を結合した連結体２０で干渉して減衰される。よって、各々のスペーサー１７による光源１５に対する姿勢支持力が向上し、光源１５の各々の位置が確保できるともに、光源１５の各々の耐震性を向上することができ、発光表示の品質信頼性を向上することができる。よって、配線基板５が装置本体４に止ねじ１０で取り付けられ、複数の光源１５がランプ収納室６から前方に存在する凹部１３に個別に取り込むことで、レンズ１４での発光表示される輝度が高くなるようにしても、前記のように光源１５の耐震性が向上しているので、光源１５が凹部１３周りの装置本体４に衝突するような不都合を解消することができる。
【００１２】
また、複数のスペーサー１７が光源１５の取付足である取付足１８を収納する部分たる縦溝１９と直交する方向で連結体２０により互いに連結されているので、連結体２０が取付足１８を縦溝１９に挿入する作業の邪魔となることがなく、光源１５の配線基板５への取付作業も良くなる。複数のスペーサー１７が互いに連結されたスペーサーブロック１６となっているので、複数のスペーサー１７が個々ばらばらである場合に比べ、全体の形状が大きくなり、取扱も良くなる。連結体２０の高さとスペーサー１７の高さとが同一であるので、連結体２０による各々のスペーサー１７による光源１５に対する姿勢支持力が一層高くなる。
【図面の簡単な説明】
【図１】一実施形態であって、ａ図は遊技機用光源装置を示す断面図、ｂ図はスペーサーブロックを示す斜視図。
【符号の説明】
３  遊技機用光源装置、５  配線基板、１５  光源、１６  スペーサーブロック、１７  スペーサー、１８  取付足、１９  縦溝。
【図１】
2004159972.tif 000003